(57)【要約】【課題】外部ネットワークから無線通信により容易にデータを取得可能で、かつ、取得したデータを複数の電子機器で容易に利用することが可能な映像システムを提供する。【解決手段】このテレビジョンシステム１（映像システム）は、ＴＭＤＳ伝送路３５と、ＨＥＣ伝送路３４とを含むＨＤＭＩ端子１６を含むテレビジョン装置１０と、ＨＤＭＩ端子１６に接続されるＨＤＭＩ無線アダプタ２０とを備え、ＨＤＭＩ無線アダプタ２０は、無線ＬＡＮモジュール２３と、データをＨＥＣ伝送路３４によりテレビジョン装置１０に伝送するＨＤＭＩコネクタ２１とを含み、テレビジョン装置１０には、ブルーレイディスクプレーヤ４０が接続可能、かつ、データをＨＥＣ伝送路３４を介しブルーレイディスクプレーヤ４０に伝送可能に構成される。【選択図】図２
2012244262.tif 000002
【特許請求の範囲】
【請求項１】
音声データおよび映像データを伝送可能な第１伝送路と、外部ネットワークを介して取得されたデータを伝送可能な第２伝送路とを含むインターフェース規格に対応する複数の第１接続部を含む映像装置と、
前記映像装置の前記第１接続部のうちの１つに装着される無線通信アダプタとを備え、
前記無線通信アダプタは、
前記外部ネットワークと通信を行うとともに前記外部ネットワークからデータを取得する無線通信部と、
前記第１接続部に接続され、前記第１伝送路および前記第２伝送路を含む前記インターフェース規格に対応するとともに、前記無線通信部により前記外部ネットワークから取得したデータを前記第２伝送路を介して前記映像装置側に伝送する第２接続部とを含み、
前記映像装置の複数の前記第１接続部のうちの前記無線通信アダプタが装着される以外の前記第１接続部には、前記インターフェース規格に対応したケーブルを介して他の電子機器が接続可能に構成されているとともに、前記無線通信アダプタを介して取得されたデータを前記第２伝送路を介して前記他の電子機器に伝送可能に構成されている、映像システム。
【請求項２】
前記インターフェース規格は、電力を伝送可能な電力伝送路をさらに含み、
前記無線通信アダプタは、前記電力伝送路を介して、前記映像装置から供給される電力により動作するように構成されている、請求項１に記載の映像システム。
【請求項３】
前記インターフェース規格は、前記第１伝送路を用いて音声データおよび映像データを伝送可能であるとともに前記第２伝送路を用いてＨＥＣ信号を伝送可能なＨＤＭＩ規格であり、
前記外部ネットワークは、ローカルエリアネットワークであり、
前記無線通信アダプタを介してローカルエリアネットワークから取得したデータを前記ＨＥＣ信号を用いて前記第２伝送路により前記映像装置および前記映像装置に接続された前記他の電子機器に伝送可能なように構成されている、請求項１または２に記載の映像システム。
【請求項４】
外部ネットワークと通信を行うとともに前記外部ネットワークからデータを取得する無線通信部と、
音声データおよび映像データを伝送可能な第１伝送路と、前記外部ネットワークを介して取得されたデータを伝送可能な第２伝送路とを含むインターフェース規格に対応する接続部とを備えた、無線通信アダプタ。
【請求項５】
無線通信装置が内蔵されたテレビジョン装置であって、
前記テレビジョン装置に内蔵された前記無線通信装置は、
外部ネットワークと通信を行うとともに前記外部ネットワークからデータを取得する無線通信部と、
音声データおよび映像データを伝送可能な第１伝送路と、前記無線通信部により前記外部ネットワークを介して取得されたデータを伝送可能な第２伝送路とを含むインターフェース規格に対応する複数の外部接続部とを含み、
複数の前記外部接続部は、前記第１伝送路および前記第２伝送路を含む前記インターフェース規格に対応するケーブルを介して、他の電子機器を接続可能に構成されるとともに、前記無線通信部を介して取得されたデータを前記第２伝送路を介して前記他の電子機器に伝送可能に構成されている、テレビジョン装置。
【発明の詳細な説明】
【技術分野】
【０００１】
この発明は、映像システム、無線通信アダプタおよびテレビジョン装置に関し、外部ネットワークと無線通信可能な無線通信アダプタを備えた映像システム、無線通信アダプタおよび無線通信部を備えたテレビジョン装置に関する。
【背景技術】
【０００２】
従来、外部ネットワークと無線通信可能な映像システムが知られている（たとえば、特許文献１参照）。
【０００３】
上記特許文献１には、受信機（テレビジョン装置）と、外部ネットワークに接続されている無線ＬＡＮアクセスポイントと、ＨＤＭＩケーブルを介して電子機器（ブルーレイディスクプレーヤなど）に接続されているベースバンド送信機とを備えたテレビジョンシステムが開示されている。無線ＬＡＮアクセスポイントは、外部ネットワークから取得したネット系のデータを無線ＬＡＮによって受信機に送信するように構成されている。ベースバンド送信機は、ＨＤＭＩを介して電子機器から取得した映像データを無線ＬＡＮによって受信機に送信するように構成されている。
【先行技術文献】
【特許文献】
【０００４】
【特許文献１】特開２０１０−２５２２０５号公報
【発明の概要】
【発明が解決しようとする課題】
【０００５】
しかしながら、上記特許文献１のテレビジョンシステムでは、インターネットからのデータを無線ＬＡＮによりテレビジョン装置に送信してテレビジョン装置において利用することが可能である一方、インターネットからテレビジョン装置（映像装置）に無線ＬＡＮにより送信されたデータをテレビジョン装置と異なる他の電子機器において利用することは困難であるという問題点がある。
【０００６】
この発明は、上記のような課題を解決するためになされたものであり、この発明の１つの目的は、外部ネットワークから無線通信により容易にデータを取得可能で、かつ、取得したデータを複数の電子機器で容易に利用することが可能な映像システム、無線通信アダプタおよびテレビジョン装置を提供することである。
【課題を解決するための手段および発明の効果】
【０００７】
この発明の第１の局面による映像システムは、音声データおよび映像データを伝送可能な第１伝送路と、外部ネットワークを介して取得されたデータを伝送可能な第２伝送路とを含むインターフェース規格に対応する複数の第１接続部を含む映像装置と、映像装置の第１接続部のうちの１つに装着される無線通信アダプタとを備え、無線通信アダプタは、外部ネットワークと通信を行うとともに外部ネットワークからデータを取得する無線通信部と、第１接続部に接続され、第１伝送路および第２伝送路を含むインターフェース規格に対応するとともに、無線通信部により外部ネットワークから取得したデータを第２伝送路を介して映像装置側に伝送する第２接続部とを含み、映像装置の複数の第１接続部のうちの無線通信アダプタが装着される以外の第１接続部には、インターフェース規格に対応したケーブルを介して他の電子機器が接続可能に構成されているとともに、無線通信アダプタを介して取得されたデータを第２伝送路を介して他の電子機器に伝送可能に構成されている。
【０００８】
この発明の第１の局面による映像システムでは、上記のように、外部ネットワークと通信を行うとともに外部ネットワークからデータを取得する無線通信部と、第１接続部に接続され、第１伝送路および第２伝送路を含むインターフェース規格に対応するとともに、無線通信部により外部ネットワークから取得したデータを第２伝送路を介して映像装置側に伝送する第２接続部とを含む無線通信アダプタを映像装置の第１接続部に装着し、映像装置の複数の第１接続部のうちの無線通信アダプタが装着される以外の第１接続部には、インターフェース規格に対応したケーブルを介して他の電子機器を接続可能に構成するとともに、無線通信アダプタを介して取得されたデータを第２伝送路を介して他の電子機器に伝送可能に構成する。これにより、無線通信アダプタと映像装置とを、第２接続部と第１接続部とによって直接的に接続することができる。その結果、容易に、無線通信アダプタにより外部ネットワークから無線通信によりデータを取得することができるとともに、映像装置の第１接続部に接続される他の電子機器にも第２伝送路を介してデータを伝送することができる。これにより、無線通信アダプタにより取得したデータを他の電子機器で容易に利用することができる。以上から、外部ネットワークから無線通信により容易にデータを取得でき、かつ、取得したデータを複数の電子機器で容易に利用することができる。
【０００９】
上記第１の局面による映像システムにおいて、好ましくは、インターフェース規格は、電力を伝送可能な電力伝送路をさらに含み、無線通信アダプタは、電力伝送路を介して、映像装置から供給される電力により動作するように構成されている。このように構成すれば、無線通信アダプタは映像装置から供給される電力により動作するので、専用の電源アダプタを別途設ける必要がない。その結果、無線通信アダプタが大型になるのを抑制することができるとともに、専用の電源アダプタの接続も不要となるので、構成を簡素化することができる。
【００１０】
上記第１の局面による映像システムにおいて、好ましくは、インターフェース規格は、第１伝送路を用いて音声データおよび映像データを伝送可能であるとともに第２伝送路を用いてＨＥＣ信号を伝送可能なＨＤＭＩ規格であり、外部ネットワークは、ローカルエリアネットワークであり、無線通信アダプタを介してローカルエリアネットワークから取得したデータをＨＥＣ信号を用いて第２伝送路により映像装置および映像装置に接続された他の電子機器に伝送可能なように構成されている。このように構成すれば、容易に、無線通信アダプタを介してローカルエリアネットワークから取得したデータをＨＤＭＩ接続部を介して映像装置および他の電子機器に伝送することができる。
【００１１】
この発明の第２の局面による無線通信アダプタは、外部ネットワークと通信を行うとともに外部ネットワークからデータを取得する無線通信部と、音声データおよび映像データを伝送可能な第１伝送路と、外部ネットワークを介して取得されたデータを伝送可能な第２伝送路とを含むインターフェース規格に対応する接続部とを備える。
【００１２】
この発明の第２の局面による無線通信アダプタでは、上記のように、外部ネットワークと通信を行うとともに外部ネットワークからデータを取得する無線通信部と、音声データおよび映像データを伝送可能な第１伝送路と、外部ネットワークを介して取得されたデータを伝送可能な第２伝送路とを含むインターフェース規格に対応する接続部とを備える。
これにより、無線通信アダプタと映像装置などの外部機器とを、接続部によって直接的に接続することができる。その結果、容易に、無線通信アダプタにより外部ネットワークから無線通信によりにデータを取得することができるとともに、外部機器にインターフェース規格に対応したケーブルを介して他の電子機器が接続された場合には、第２伝送路を介して、接続された他の電子機器にもデータを伝送することができる。これにより、無線通信アダプタにより取得したデータを他の電子機器で容易に利用することができる。以上から、外部ネットワークから無線通信により容易にデータを取得でき、かつ、取得したデータを複数の電子機器で容易に利用することができる。
【００１３】
この発明の第３の局面によるテレビジョン装置は、無線通信装置が内蔵されたテレビジョン装置であって、テレビジョン装置に内蔵された無線通信装置は、外部ネットワークと通信を行うとともに外部ネットワークからデータを取得する無線通信部と、音声データおよび映像データを伝送可能な第１伝送路と、無線通信部により外部ネットワークを介して取得されたデータを伝送可能な第２伝送路とを含むインターフェース規格に対応する複数の外部接続部とを含み、複数の外部接続部は、第１伝送路および第２伝送路を含むインターフェース規格に対応するケーブルを介して、他の電子機器を接続可能に構成されるとともに、無線通信部を介して取得されたデータを第２伝送路を介して他の電子機器に伝送可能に構成されている。
【００１４】
この発明の第３の局面によるテレビジョン装置では、上記のように、テレビジョン装置に内蔵された無線通信装置に、外部ネットワークと通信を行うとともに外部ネットワークからデータを取得する無線通信部と、音声データおよび映像データを伝送可能な第１伝送路と、無線通信部により外部ネットワークを介して取得されたデータを伝送可能な第２伝送路とを含むインターフェース規格に対応する複数の外部接続部とを設けるとともに、複数の外部接続部を、第１伝送路および第２伝送路を含むインターフェース規格に対応するケーブルを介して、他の電子機器と接続可能に構成し、無線通信部を介して取得されたデータが第２伝送路を介して他の電子機器に伝送可能に構成する。これにより、無線通信装置とテレビジョン装置とを一体化することができるので、容易に、無線通信装置により外部ネットワークから無線通信によりデータを取得することができるとともに、無線通信により取得されたデータを、テレビジョン装置の外部接続部に接続される他の電子機器にも第２伝送路を介してデータを伝送することができる。これにより、無線通信により取得したデータを他の電子機器で容易に利用することができる。以上から、外部ネットワークから無線通信により容易にデータを取得でき、かつ、取得したデータを複数の電子機器で容易に利用することができる。
【図面の簡単な説明】
【００１５】
【図１】本発明の第１実施形態によるテレビジョンシステムの全体構成を示した概略図である。
【図２】本発明の第１実施形態によるテレビジョンシステムの構成を示したブロック図である。
【図３】本発明の第１実施形態による無線通信アダプタの構成を示したブロック図である。
【図４】本発明の第１実施形態による無線通信アダプタのＨＤＭＩコネクタとテレビジョン装置のＨＤＭＩ端子とによって構成される伝送路を示したブロック図である。
【図５】本発明の第２実施形態によるテレビジョン装置の構成を示したブロック図である。
【発明を実施するための形態】
【００１６】
（第１実施形態）
以下、図１〜図４を参照して、本発明の第１実施形態によるテレビジョンシステム１の構成について説明する。
【００１７】
本発明の第１実施形態によるテレビジョンシステム１は、図１に示すように、テレビジョン装置１０と、ＨＤＭＩ無線アダプタ２０と、ブルーレイディスクプレーヤ４０とにより構成されている。ＨＤＭＩ無線アダプタ２０は、テレビジョン装置１０に接続され、テレビジョン装置１０とＨＤＭＩ無線アダプタ２０とは、相互に信号を伝達可能に構成されている。また、ＨＤＭＩ無線アダプタ２０は、無線ＬＡＮアクセスポイント２０Ａ（ローカルエリアネットワーク）と無線接続可能に構成されている。また、無線ＬＡＮアクセスポイント２０Ａは、モデム２０Ｂを介して、双方向の通信が可能なようにインターネット２０Ｃに接続されている。これにより、テレビジョン装置１０は、ＨＤＭＩ無線アダプタ２０を介して、ローカルエリアネットワークおよびインターネットと双方向の無線通信を行うことが可能である。ブルーレイディスクプレーヤ４０は、ＨＤＭＩケーブル４１を介して、テレビジョン装置１０に接続されている。なお、テレビジョンシステム１は、本発明の「映像システム」の一例である。また、テレビジョン装置１０は、本発明の「映像装置」の一例である。また、ＨＤＭＩ無線アダプタ２０は、本発明の「無線通信アダプタ」の一例である。また、ブルーレイディスクプレーヤ４０は、本発明の「他の電子機器」の一例である。また、ＨＤＭＩケーブル４１は、本発明の「ケーブル」の一例である。
【００１８】
テレビジョン装置１０は、図２に示すように、制御部１１と、チューナ１２と、表示部１３と、音声出力部１４と、ＨＤＭＩスイッチＩＣ１５と、３つのＨＤＭＩ端子１６と、ＬＡＮ物理層ＩＣ１７と、有線ＬＡＮ端子１８とを備えている。なお、ＨＤＭＩ端子１６のうちの１つに、ＨＤＭＩ無線アダプタ２０のＨＤＭＩコネクタ２１が接続されるとともに、ＨＤＭＩ端子１６のうちの他の１つに、ブルーレイディスクプレーヤ４０がＨＤＭＩケーブル４１を介して接続されている。また、テレビジョン装置１０は、映像信号および音声信号の伝送に加えて、イーサネット（登録商標）通信を行うことができるＨＤＭＩ１．４（ＨＥＣ（ＨＤＭＩ  Ｅｔｈｅｒｎｅｔ（登録商標）  Ｃｈａｎｎｅｌ）対応）規格に対応している。また、ＨＤＭＩ端子１６は、本発明の「第１端接続部」の一例である。また、ＨＤＭＩ１．４規格は、本発明の「インターフェース規格」の一例である。
【００１９】
制御部１１は、テレビジョン装置１０の各部の制御を行うように構成されている。具体的には、制御部１１は、チューナ１２を介して受信するテレビジョン信号に基づいて、映像を表示部１３で表示して、音声を音声出力部１４で出力するように制御を行うように構成されている。
【００２０】
ここで、本実施形態では、制御部１１は、ＨＤＭＩスイッチＩＣ１５を介して、ＨＤＭＩ端子１６に接続されたＨＤＭＩ無線アダプタ２０から伝送されるデータ（ローカルエリアネットワークを介して取得されたデータ）を受信するように構成されている。制御部１１に伝送されるデータは、映像データ、音声データおよびテレビジョン装置１０のプログラムの更新に関するデータなどである。制御部１１は、伝送された映像データに基づいて映像を表示部１３で表示するように構成されている。また、制御部１１は、伝送された音声データに基づいて音声を音声出力部１４から出力するように構成されている。また、制御部１１は、伝送されたデータがテレビジョン装置１０のプログラムの更新に関するデータである場合に、伝送されたデータに基づいてテレビジョン装置１０のプログラムを更新するように構成されている。制御部１１は、ＨＤＭＩ無線アダプタ２０から伝送されるデータ（ローカルエリアネットワークを介して取得されたデータ）を受信する際に、後述するＨＥＣ伝送路３４（図３および図４参照）で伝送されるデータを受信するように構成されている。また、ＨＥＣ伝送路３４は、本発明の「第２伝送路」の一例である。
【００２１】
ＨＤＭＩスイッチ１５は、複数の機器がテレビジョン装置１０のＨＤＭＩ端子１６に接続されている場合に、制御部１１によってテレビジョン装置１０に入力される信号を切り替えるように制御されている。
【００２２】
３つのＨＤＭＩ端子１６は、それぞれ、図４に示すように、電源伝送路３３と、ＨＥＣ伝送路３４と、ＴＭＤＳ（Ｔｒａｎｓｉｔｉｏｎ  Ｍｉｎｉｍｉｚｅｄ  Ｄｉｆｆｅｒｅｎｔｉａｌ  ｓｉｇｎａｌ）伝送路３５と、ＣＥＣ伝送路３６とを構成するピン（図示せず）を備えている。ＨＤＭＩ端子１６は、映像信号および音声信号の伝達に加えて、イーサネット通信を行うことができるＨＤＭＩ１．４（ＨＥＣ対応）規格に対応している。なお、ＴＭＤＳ伝送路３５は、本発明の「第１伝送路」の一例である。
【００２３】
ＬＡＮ物理層ＩＣ１７は、有線ＬＡＮ端子１８を介してローカルエリアネットワークから取得したデータを制御部１１で処理できるように変換して、制御部１１に伝送するように構成されている。また、ＬＡＮ物理層ＩＣ１７は、テレビジョン装置１０のデータをローカルエリアネットワークに送信できるように変換して、有線ＬＡＮ端子１８を介してローカルエリアネットワークに伝送するように構成されている。
【００２４】
また、ＬＡＮ物理層ＩＣ１７は、ＨＤＭＩ端子１６を介して無線通信アダプタ２１から伝送されたデータを制御部１１で処理できるように変換して、制御部１１に伝送するように構成されている。また、ＬＡＮ物理層ＩＣ１７は、テレビジョン装置１０のデータをＨＤＭＩ無線アダプタ２０から無線ＬＡＮアクセスポイント２０Ａにデータ送信できるように変換して、ＨＤＭＩ無線アダプタ２０に伝送するように構成されている。
【００２５】
ＨＤＭＩ無線アダプタ２０は、図３に示すように、ＨＤＭＩコネクタ２１と、イーサネット物理層ＩＣ２２と、無線ＬＡＮモジュール２３とを備えている。
【００２６】
ＨＤＭＩコネクタ２１は、図３に示すように、それぞれ、電源伝送路３３と、ＨＥＣ伝送路３４と、ＴＭＤＳ伝送路３５と、ＣＥＣ伝送路３６とを構成するピン（図示せず）を備えている。ＨＤＭＩコネクタ２１は、映像信号および音声信号の伝達に加えて、イーサネット通信を行うことができるＨＤＭＩ１．４（ＨＥＣ対応）規格に対応している。ＨＤＭＩコネクタ２１とテレビジョン装置１０のＨＤＭＩ端子１６とが接続されることにより、テレビジョン装置１０とＨＤＭＩ無線アダプタ２０との間で伝送路（電源伝送路３３、ＨＥＣ伝送路３４およびＣＥＣ伝送路３６）が接続され、双方向の信号伝送が可能となる。なお、ＨＤＭＩコネクタ２１は、本発明の「第２接続部」および「接続部」の一例である。また、無線ＬＡＮモジュール２３は、本発明の「無線通信部」の一例である。
【００２７】
イーサネット物理層ＩＣ２２は、テレビジョン装置１０から伝送されたデータを無線ＬＡＮモジュール２３で取り扱えるように変換して、無線ＬＡＮモジュール２３に伝送するように構成されている。テレビジョン装置１０からイーサネット物理層ＩＣ２２に伝送されるデータは、ＨＥＣ伝送路３４（図３および図４参照）によって伝送される。イーサネット物理層ＩＣ２２は、電源伝送路３３によってテレビジョン装置１０と接続されている。イーサネット物理層ＩＣ２２の動作に必要な電力は、電源伝送路３３を介して、テレビジョン装置１０からイーサネット物理層ＩＣ２２に供給される。
【００２８】
また、イーサネット物理層ＩＣ２２は、無線ＬＡＮモジュール２３から伝送されたデータをテレビジョン装置１０で取り扱えるように変換して、テレビジョン装置１０に伝送するように構成されている。イーサネット物理層ＩＣ２２からテレビジョン装置１０に伝送されるデータは、ＨＥＣ伝送路３４（図３および図４参照）によって伝送される。
【００２９】
無線ＬＡＮモジュール２３は、イーサネット物理層ＩＣ２２から伝送されたデータをローカルエリアネットワークに伝送するように構成されている。また、無線ＬＡＮモジュール２３は、ローカルエリアネットワークから取得したデータをイーサネット物理層ＩＣ２２に伝送するように構成されている。無線ＬＡＮモジュール２３は、電源伝送路３３によってテレビジョン装置１０と接続されている。無線ＬＡＮモジュール２３の動作に必要な電力は、電源伝送路３３を介して、テレビジョン装置１０から無線ＬＡＮモジュール２３に供給される。このように、ＨＤＭＩ無線アダプタ２０は、電源伝送路３３を介して、テレビジョン装置１０から供給される電力により動作可能に構成されている。
【００３０】
次に、図４を参照して、テレビジョン装置１０とＨＤＭＩ無線アダプタ２０との間のデータの伝送を行う伝送路について説明する。
【００３１】
ＨＥＣ伝送路３４は、複数の伝送路から構成されるＨＤＭＩケーブル４１のうちのＵｔｉｌｉｔｙラインおよびＨＰＤライン（図３参照）から構成されている。ＨＥＣ伝送路３４は、ＨＤＭＩ無線アダプタ２０によってローカルエリアネットワークを介してインターネット２０Ｃから取得されたデータを１００ＢＡＳＥ−ＴＸの規格に準拠した形式の信号により、双方向にデータを伝送可能に構成されている。ＨＥＣ伝送路３４によって、テレビジョン装置１０は、テレビジョン装置１０の有線ＬＡＮ端子１８を使用してローカルエリアネットワークに接続されていない場合でも、ＨＥＣ伝送路３４を介してＨＤＭＩ無線アダプタ２０によってローカルエリアネットワークに接続して、データを取得することが可能である。
【００３２】
ＴＭＤＳ伝送路３５は、映像データおよび音声データを伝送するように構成されている。第１実施形態において、テレビジョン装置１０とＨＤＭＩ無線アダプタ２０との間では、ＨＥＣ伝送路３４を用いてデータの伝送が行われるため、ＴＭＤＳ伝送路３５は使用されない。なお、１方向にデータの伝送が可能なＴＭＤＳ伝送路３５は、１０．２Ｇｂｐｓの速度で映像データおよび音声データを伝送可能に構成されている。テレビジョン装置１０とブルーレイディスクプレーヤ４０との間では、ＴＭＤＳ伝送路３５を介して、ブルーレイディスクプレーヤ４０から映像データおよび音声データが伝送される。
【００３３】
ＣＥＣ伝送路３６は、機器間を制御するための信号を伝送可能に構成されている。また、ＣＥＣ伝送路３６は、テレビジョン装置１０とＨＤＭＩ無線アダプタ２０とで双方向に信号を伝送可能に構成されている。
【００３４】
ブルーレイディスクプレーヤ４０は、図２に示すように、ＨＤＭＩケーブル４１を介してテレビジョン装置１０の３つのＨＤＭＩ端子１６のうちのＨＤＭＩ無線アダプタ２０が装着される以外のＨＤＭＩ端子１６に接続されている。
【００３５】
ブルーレイディスクプレーヤ４０は、ＨＤＭＩケーブル４１を介してテレビジョン装置１０のＨＤＭＩ端子１６に接続されるとともに、映像データおよび音声データをテレビジョン装置１０に伝送するように構成されている。ブルーレイディスクプレーヤ４０のデータは、テレビジョン装置１０のＨＤＭＩスイッチ１５を介して、テレビジョン装置１０の制御部１１に伝送されるように構成されている。また、テレビジョン装置１０のデータは、テレビジョン装置１０の制御部１１からＨＤＭＩスイッチ１５を介して、ブルーレイディスクプレーヤ４０に伝送されるように構成されている。また、ブルーレイディスクプレーヤ４０は、ＨＤＭＩ１．４（ＨＥＣ対応）規格に対応している。
【００３６】
第１実施形態では、ブルーレイディスクプレーヤ４０は、ローカルエリアネットワークに直接的に接続されていない場合でも、テレビジョン装置１０に接続されることによって、テレビジョン装置１０に装着されたＨＤＭＩ無線アダプタ２０を用いて、ローカルエリアネットワークに接続することができる。ブルーレイディスクプレーヤ４０のデータは、テレビジョン装置１０の制御部１１を介して、ＬＡＮ物理層ＩＣ１７に伝送されるように構成されている。ＬＡＮ物理層ＩＣ１７に伝送されたデータは、ＨＤＭＩ無線アダプタ２０のイーサネット物理層ＩＣ２２で処理できるようにＬＡＮ物理層ＩＣ１７によって変換され、ＨＤＭＩ無線アダプタ２０に伝送されるように構成されている。ＨＤＭＩ無線アダプタ２０に伝送されたデータは、無線ＬＡＮモジュール２３で取り扱えるようにイーサネット物理層ＩＣ２２で変換され、無線ＬＡＮモジュール２３からローカルエリアネットワークに伝送されるように構成されている。
【００３７】
一方、ローカルエリアネットワークを介してインターネット２０Ｃから無線通信アダプタ４０が取得したデータは、テレビジョン装置１０で取り扱えるようにイーサネット物理層ＩＣ２２で変換され、テレビジョン装置１０のＬＡＮ物理層ＩＣ１７に伝送されるように構成されている。ＬＡＮ物理層ＩＣ１７に伝送されたデータは、テレビジョン装置１０で取り扱えるようにＬＡＮ物理層ＩＣ１７によって変換され、制御部１１に伝送されるように構成されている。制御部１１に伝送されたデータは、ＨＤＭＩスイッチ１５を介して、ブルーレイディスクプレーヤ４０に伝送されるように構成されている。
【００３８】
第１実施形態では、上記のように、無線ＬＡＮモジュール２３と、テレビジョン装置１０のＨＤＭＩ端子１６に接続され、ＴＭＤＳ伝送路３５およびＨＥＣ伝送路３４を含むＨＤＭＩ１．４規格に対応するとともに、無線ＬＡＮモジュール２３により外部ネットワークから取得したデータをＨＥＣ伝送路３４を介してテレビジョン装置１０に伝送するＨＤＭＩコネクタ２１とを含むＨＤＭＩ無線アダプタ２０をテレビジョン装置１０の３つのＨＤＭＩ端子１６のうちの１つに装着し、テレビジョン装置１０の複数のＨＤＭＩ端子１６のうちのＨＤＭＩ無線アダプタ２０が装着される以外のＨＤＭＩ端子１６には、インターフェース規格に対応したＨＤＭＩケーブル４１を介して接続されているとともに、ＨＤＭＩ無線アダプタ２０により取得されたデータをＨＥＣ伝送路３４を介して伝送可能に構成されているブルーレイディスクプレーヤ４０を設ける。これにより、ＨＤＭＩ無線アダプタ２０とテレビジョン装置１０とを、ＨＤＭＩコネクタ２１とＨＤＭＩ端子１６とによって直接的に接続することができる。その結果、容易に、ＨＤＭＩ無線アダプタ２０により外部ネットワークから無線通信によりデータを取得することができるとともに、テレビジョン装置１０のＨＤＭＩ端子１６に接続されるブルーレイディスクプレーヤ４０にもＨＥＣ伝送路３４を介してデータを伝送することができる。これにより、ＨＤＭＩ無線アダプタ２０により取得したデータをブルーレイディスクプレーヤ４０で容易に利用することができる。
【００３９】
第１実施形態では、上記のように、ＨＤＭＩ無線アダプタ２０を、テレビジョン装置１０から電力伝送路３３を介して供給される電力により動作するように構成することによって、ＨＤＭＩ無線アダプタ２０をテレビジョン装置１０から供給される電力により動作させることができる。これにより、専用の電源アダプタを設ける必要をなくすことができる。その結果、ＨＤＭＩ無線アダプタ２０が大型になるのを抑制することができるとともに、専用の電源アダプタとの接続も不要となるので、構成を簡素化することができる。
【００４０】
第１実施形態では、上記のように、外部ネットワークと通信を行うとともに外部ネットワークからデータを取得する無線ＬＡＮモジュール２３と、音声データおよび映像データを伝送可能なＴＭＤＳ伝送路３５と、外部ネットワークを介して取得されたデータを伝送可能なＨＥＣ伝送路３４とを含むＨＤＭＩ１．４規格に対応するＨＤＭＩコネクタ２１とをＨＤＭＩ無線アダプタ２０に設ける。これにより、ＨＤＭＩ無線アダプタ２０とテレビジョン装置１０とを、ＨＤＭＩコネクタ２１によって直接的に接続することができる。その結果、容易に、ＨＤＭＩ無線アダプタ２０により外部ネットワークから無線通信によりデータを取得することができるとともに、テレビジョン装置１０にＨＤＭＩケーブル４１を介して接続されたブルーレイディスクプレーヤ４０にも、ＨＥＣ伝送路３４を介してデータを伝送することができる。これにより、ＨＤＭＩ無線アダプタ２０により取得したデータをブルーレイディスクプレーヤ４０で容易に利用することができる。
【００４１】
（第２実施形態）
以下、図５を参照して、本発明の第２実施形態によるテレビジョン装置１１０の構成について説明する。なお、テレビジョン装置１１０は、本発明の「テレビジョン装置」の一例である。
【００４２】
この第２実施形態では、無線ＬＡＮモジュール２３を含むＨＤＭＩ無線アダプタ２０をテレビジョン装置１０のＨＤＭＩ端子１６に接続した第１実施形態と異なり、無線通信装置１２０を内蔵したテレビジョン装置１１０について説明する。なお、また、ＨＤＭＩ端子１１６は、本発明の「外部接続部」の一例である。
【００４３】
無線通信装置１２０は、図５に示すように、無線ＬＡＮモジュール１２３と３つのＨＤＭＩ端子１１６とを含んでいる。なお、３つのＨＤＭＩ端子１１６のうちの１つには、ブルーレイディスクプレーヤ４０がＨＤＭＩケーブル４１を介して接続されている。
【００４４】
無線ＬＡＮモジュール１２３は、テレビジョン装置１１０の基板に実装されているとともに、ＬＡＮ物理層ＩＣ１１７に接続されている。無線ＬＡＮモジュール１２３は、無線通信を行うことによって、無線ＬＡＮアクセスポイント２０Ａに接続可能に構成されている。
【００４５】
ＬＡＮ物理層ＩＣ１１７は、有線ＬＡＮ端子１８を介してローカルエリアネットワークから取得したデータを制御部１１で処理できるように変換して、制御部１１に伝送するように構成されている。また、ＬＡＮ物理層ＩＣ１１７は、テレビジョン装置１０のデータをローカルエリアネットワークに送信できるように変換して、有線ＬＡＮ端子１８を介してローカルエリアネットワークに伝送するように構成されている。
【００４６】
また、ＬＡＮ物理層ＩＣ１１７は、無線ＬＡＮモジュール１２３から伝送されたデータを制御部１１で処理できるように変換して、制御部１１に伝送するように構成されている。また、ＬＡＮ物理層ＩＣ１１７は、テレビジョン装置１０のデータを無線ＬＡＮモジュール１２３から無線ＬＡＮアクセスポイント２０Ａにデータ送信できるように変換して、無線ＬＡＮモジュール１２３に伝送するように構成されている。
【００４７】
なお、第２実施形態のその他の構成は、上記第１実施形態と同様である。
【００４８】
第２実施形態では、上記のように、外部ネットワークと通信を行うとともに外部ネットワークからデータを取得する無線ＬＡＮモジュール１２３と、ＴＭＤＳ伝送路３５と、ＨＥＣ伝送路３４とを含むＨＤＭＩ１．４規格に対応するＨＤＭＩ端子１１６とを含む無線通信装置１２０をテレビジョン装置１１０に内蔵し、ＨＤＭＩ端子１１６には、ＨＤＭＩケーブル４１を介してブルーレイディスクプレーヤ４０を接続するとともに、無線ＬＡＮモジュール１２３を介して取得されたデータをＨＥＣ伝送路３４を介してブルーレイディスクプレーヤ４０に伝送可能に構成する。これにより、無線通信装置１２０とテレビジョン装置１１０とを一体化することができるので、容易に、無線通信装置１２０により外部ネットワークから無線通信によりデータを取得することができるとともに、無線通信により取得されたデータを、テレビジョン装置１１０のＨＤＭＩ端子１１６に接続されたブルーレイディスクプレーヤ４０にもＨＥＣ伝送路３４を介してデータを伝送することができる。これにより、無線通信装置１２０により取得したデータをブルーレイディスクプレーヤ４０で容易に利用することができる。以上から、外部ネットワークから無線通信により容易にデータを取得でき、かつ、取得したデータをテレビジョン装置１０およびブルーレイディスクプレーヤ４０で容易に利用することができる。
【００４９】
なお、第２実施形態のその他の効果は、上記第１実施形態と同様である。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
上記第１および第２実施形態では、本発明を、テレビジョン装置１０（１１０）に適用した例を示したが、本発明はこれに限られない。本発明は、テレビジョン以外の表示装置に適用してもよい。
【００５２】
上記第１および第２実施形態では、無線ＬＡＮモジュール２３（１２３）により、ローカルエリアネットワークと通信を行う例を示したが、本発明はこれに限られない。無線通信部は、ＷＡＮ（Ｗｉｄｅ  Ａｒｅａ  Ｎｅｔｗｏｒｋ）やインターネットと通信を行ってもよい。
【００５３】
上記第１実施形態では、ＨＤＭＩ無線アダプタ２０が、電力伝送路３３を介してテレビジョン装置１０から供給される電力により動作する例を示したが、本発明はこれに限られない。無線通信アダプタは、外部の電源アダプタから電力を供給されてもよい。また、無線通信アダプタに電池を設けて、電池から電力を供給されてもよい。
【００５４】
上記第１および第２実施形態では、インターフェース規格が、ＨＤＭＩ規格である例を示したが、本発明はこれに限られない。本発明では、インターフェース規格は、音声データおよび映像データを伝送可能な第１伝送路と、外部ネットワークを介して取得されたデータを伝送可能な第２伝送路とを含むインターフェース規格であれば、ＨＤＭＩ規格以外のインターフェース規格でもよい。
【００５５】
上記第１および第２実施形態では、１台のブルーレイディスクプレーヤ４０をテレビジョン装置１０（１１０）のＨＤＭＩ端子１６（１１６）に接続した例を示したが、本発明はこれに限られない。２台以上の電子機器が、映像装置およびテレビジョン装置に接続されていてもよい。また、映像装置およびテレビジョン装置には、電子機器を接続しなくてもよい。
【００５６】
上記第１実施形態では、ＨＤＭＩ無線アダプタ２０をテレビジョン装置１０に接続した例を示したが、本発明はこれに限られない。無線通信アダプタは、映像装置以外の電子機器に装着されていてもよいし、映像装置に接続された他の電子機器に装着されていてもよい。
【００５７】
上記第１および第２実施形態では、有線ＬＡＮ端子をテレビジョン装置１０（１１０）に設けた例を示したが、本発明はこれに限られない。有線ＬＡＮ端子をテレビジョン装置に設けなくてもよい。
【符号の説明】
【００５８】
１  テレビジョンシステム
１０、１１０  テレビジョン装置
１６  ＨＤＭＩ端子（第１接続部）
２０  ＨＤＭＩ無線アダプタ（無線通信アダプタ）
２１  ＨＤＭＩコネクタ（第２接続部、接続部）
２３、１２３  無線ＬＡＮモジュール（無線通信部）
３４  ＨＥＣ伝送路（第２伝送路）
３５  ＴＭＤＳ伝送路（第１伝送路）
４０  ブルーレイディスクプレーヤ（他の電子機器）
４１  ＨＤＭＩケーブル（ケーブル）
１１６  ＨＤＭＩ端子（外部接続部）
１２０  無線通信装置
【図１】
2012244262.tif 000003
【図２】
2012244262.tif 000004
【図３】
2012244262.tif 000005
【図４】
2012244262.tif 000006
【図５】
2012244262.tif 000007